(57)【要約】【課題】外形寸法等が異なる各種の中皿を容器本体に収容することができ、しかも、中皿の取り付け作業を簡単に行うことができる化粧料容器を提供する。【解決手段】上面に保持体収容凹部１ａが形成された容器本体１と、上面に中皿収容凹部２ａが形成され上記容器本体１の保持体収容凹部１ａに着脱自在に収容される中皿保持体２と、この中皿保持体２の中皿収容凹部２ａに着脱自在に収容，保持される中皿３と、上記容器本体１を蓋する蓋体とを備えている。そして、上記容器本体１の保持体収容凹部１ａの内面に係合用凸部１３が突設され、上記係合用凸部１３に対応する上記中皿保持体２の外面の部分に、上記容器本体１の係合用凸部１３に摺動自在で、かつ回動自在に係合する被係合凹部１８が形成されている。【選択図】図１０
2006305126.tif 000002
【特許請求の範囲】
【請求項１】
上面に保持体収容凹部が形成された容器本体と、上面に中皿収容凹部が形成され上記容器本体の保持体収容凹部に着脱自在に収容される中皿保持体と、この中皿保持体の中皿収容凹部に着脱自在に収容，保持される中皿と、上記容器本体を蓋する蓋体とを備え、上記容器本体の保持体収容凹部の内面に係合用凸部が突設され、上記係合用凸部に対応する上記中皿保持体の外面の部分に、上記容器本体の係合用凸部に摺動自在で、かつ回動自在に係合する被係合凹部が形成されていることを特徴とする化粧料容器。
【請求項２】
上記係合用凸部が、上記容器本体の保持体収容凹部の内周側面に突設され、かつ円柱形状もしくは円筒形状に形成され、上記被係合用凹部が、上記中皿保持体の外周側面に溝状に形成され、かつ、上記被係合用凹部の一端部が上記中皿保持体の外周側面の一端面に開口しているとともに、この一端面から上記中皿保持体の底面に沿って一直線状に延び、上記被係合用凹部の他端部が、上記係合用凸部が回動自在な半円弧状湾曲面に形成されている請求項１記載の化粧料容器。
【発明の詳細な説明】
【技術分野】
【０００１】
本発明は、化粧料容器に関するものである。
【背景技術】
【０００２】
従来から、ファンデーション等の化粧料を収容して携帯する化粧料容器として、図１５に示すような化粧料容器が提案されている。この化粧料容器は、上面に化粧皿収納部３１ａと小物入れ３１ｂとが形成された容器本体３１と、この容器本体３１の後方壁３１ｃに開閉可能に蝶着される蓋体３２と、内部に化粧料３４が充填された化粧皿３３とで構成されており、上記容器本体３１の（化粧皿収納部３１ａと小物入れ３１ｂとを仕切る）隔壁３５の後側面（上記化粧皿３３の前側面に対向する側面）に左右一対の第１係合突起３５ａが突設されているとともに、後方壁３１ｃに、第２係合突起３６ａを有する左右一対の爪３６が切欠き形成されている。また、上記化粧皿３３には、その前後両側面（後側面は図示せず）に係合溝３３ａが形成されている。そして、上記化粧皿収納部３１ａの各係合突起３５ａ，３６ａと化粧皿３３の各係合溝３３ａとを着脱自在に係合することにより、上記化粧皿収納部３１ａに化粧皿３３を着脱自在に係合するようにしている（例えば、特許文献１参照）。図において、３７ａは上記容器本体３１の前側凹部３７の奥面に突設された突起であり、閉蓋時には、上記蓋体３２のフック（図示せず）に着脱自在に係合するようにしている。
【特許文献１】特開２００２−１７７０４５号公報
【発明の開示】
【発明が解決しようとする課題】
【０００３】
しかしながら、上記の化粧料容器では、上記容器本体３１の各係合突起３５ａ，３６ａと化粧皿３３の各係合溝３３ａとを着脱自在に係合させているため、上記化粧皿３３として、その外形寸法や外周部の形状，構造が異なるものを使用する場合には、上記容器本体３１に収容，固定することができなくなる。したがって、上記外形寸法等が異なる化粧皿３３を収容，固定できる容器本体３１を新しく作製する必要があるが、この容器本体３１には、蓋体３２を着脱自在に固定する固定手段（前側凹部３７，突起３７ａ等）や、蓋体３２を開閉可能に蝶着される蝶着手段等が形成されているため、新しく容器本体３１を作製しようとすると、製造コストの大幅なアップになる。しかも、上記容器本体３１の各係合突起３５ａ，３６ａと化粧皿３３の各係合溝３３ａとを係合させる際には、上記各係合突起３５ａ，３６ａと化粧皿３３の各係合溝３３ａとを略一緒に係合させなければならず、この係合作業が難して失敗しやすく、また、この係合作業に失敗すると、各係合突起３５ａ，３６ａや各係合溝３３ａが破損等しやすい。
【０００４】
本発明は、このような事情に鑑みなされたもので、外形寸法等が異なる各種の中皿を容器本体に収容することができ、しかも、中皿の取り付け作業を簡単に行うことができる化粧料容器の提供をその目的とする。
【課題を解決するための手段】
【０００５】
上記の目的を達成するために、本発明の化粧料容器は、上面に保持体収容凹部が形成された容器本体と、上面に中皿収容凹部が形成され上記容器本体の保持体収容凹部に着脱自在に収容される中皿保持体と、この中皿保持体の中皿収容凹部に着脱自在に収容，保持される中皿と、上記容器本体を蓋する蓋体とを備え、上記容器本体の保持体収容凹部の内面に係合用凸部が突設され、上記係合用凸部に対応する上記中皿保持体の外面の部分に、上記容器本体の係合用凸部に摺動自在で、かつ回動自在に係合する被係合凹部が形成されているという構成をとる。
【発明の効果】
【０００６】
すなわち、本発明の化粧料容器は、上面に保持体収容凹部が形成された容器本体と、上面に中皿収容凹部が形成され上記容器本体の保持体収容凹部に着脱自在に収容される中皿保持体と、この中皿保持体の中皿収容凹部に着脱自在に収容，保持される中皿と、上記容器本体を蓋する蓋体とを備えている。また、上記容器本体の保持体収容凹部の内面に係合用凸部が突設されており、上記係合用凸部に対応する上記中皿保持体の外面の部分に、上記容器本体の係合用凸部に摺動自在で、かつ回動自在に係合する被係合凹部が形成されている。そして、上記容器本体の保持体収容凹部に、中皿収容凹部に中皿を収容，保持した中皿保持体を収容する場合には、まず、上記容器本体の上面に対して中皿保持体を傾斜させ、この傾斜姿勢で上記容器本体の保持体収容凹部の係合用凸部に中皿保持体の被係合凹部を係合させ、つぎに、この係合状態で上記係合用凸部に対して上記被係合凹部を摺動させながら、中皿保持体を上記容器本体の保持体収容凹部の上側に移動させるとともに、この中皿保持体を上記容器本体の保持体収容凹部側に回動させて保持体収容凹部内に収容することを行う。
【０００７】
このように、本発明の化粧料容器では、上記容器本体の保持体収容凹部に、中皿収容凹部に中皿を収容，保持した中皿保持体を収容するようにしているため、中皿として、外形寸法や外周部の形状，構造が異なる各種の中皿を用いる場合にも、これら中皿を収容することができる各種の中皿保持体を作製すればよく、これら中皿保持体は、その形状，構造等が容器本体と比べて簡単な形状，構造等であるため、製造コストが大幅に安価になる。しかも、上記容器本体の保持体収容凹部に中皿保持体を収容する場合には、上記容器本体の保持体収容凹部の係合用凸部を中皿保持体の被係合凹部に係合させたのち、この係合状態で上記中皿保持体を上記容器本体の保持体収容凹部側に移動させながら回動させて保持体収容凹部内に収容するようにしているため、上記係合作業と回動作業とを別々に行うことができ、これにより、両作業が容易になって各作業の失敗が少なくなり、上記係合用凸部，被係合凹部等が破損等することがなくなる。
【０００８】
また、上記係合用凸部が、上記容器本体の保持体収容凹部の内周側面に突設され、かつ円柱形状もしくは円筒形状に形成され、上記被係合用凹部が、上記中皿保持体の外周側面に溝状に形成され、かつ、上記被係合用凹部の一端部が上記中皿保持体の外周側面の一端面に開口しているとともに、この一端面から上記中皿保持体の底面に沿って一直線状に延び、上記被係合用凹部の他端部が、上記係合用凸部が回動自在な半円弧状湾曲面に形成されていると、上記容器本体の係合用凸部を、上記中皿保持体の外周側面の一端面に開口する上記被係合用凹部の一端部から簡単に行うことができる。
【発明を実施するための最良の形態】
【０００９】
つぎに、本発明の実施の形態を図面にもとづいて詳しく説明する。
【００１０】
図１は本発明の化粧料容器の一実施の形態を示している。図において、１は上面に平面視略長方形状の保持体収容凹部１ａが形成された容器本体（図２および図３参照）であり、図４〜図６に示すように、上記保持体収容凹部１ａの内周側面のうち左右両側面（すなわち、上記保持体収容凹部１ａを取り囲む周側壁１１のうち左右両側壁１１ａ，１１ｂの内周面）の後端部に、円柱形状の係合用凸部１３が互いに相対峙する状態で突設されている。また、上記保持体収容凹部１ａの前壁（すなわち、上記周側壁１１のうち前側壁）１１ｃは、その下端部を残した状態で、その左右全幅にわたって切欠き形成されており、この切欠き形成部１４が、後述する中皿３を上記保持体収容凹部１ａに収容する際に、中皿３の前端部が通過する空間として利用される。また、上記保持体収容凹部１ａには、その底壁（すなわち、上記容器本体１の底壁）１２の前端部中央部分に、棒状体（図示せず）を挿通しうる貫通穴１５（図４参照）が穿設されている。
【００１１】
また、上記容器本体１には、その周側壁１１のうち前側壁１１ｃの前部に前側凹部１６が形成されており、この前側凹部１６の奥面に、後述する蓋体４の係合爪（図示せず）に着脱自在に係合する凸部１６ａが突設されている。また、上記容器本体１には、その周側壁１１のうち後側壁１１ｄの後部に後側凹部１７が形成されており、この後側凹部１７内に、上記蓋体２の後端部から垂下するヒンジ連結部（図示せず）が挿通されているとともに、上記後側壁１１ｄに連結ピン（図示せず）を介してヒンジ連結されている。図６において、１７ａは上記後側壁１１ｄに穿設された連結ピン挿通穴である。
【００１２】
２は平面視略長方形状に形成された中皿保持体であり、上記容器本体１の保持体収容凹部１ａに着脱自在に収容されている。この中皿保持体２には、図７〜図９に示すように、その上面に中皿収容凹部２ａと化粧用具収容凹部２ｂとが左右に形成されており、上記中皿収容凹部２ａに、その内部に化粧料３ａが収容された中皿３が収容，保持されている。この実施の形態では、上記中皿収容凹部２ａの上面と中皿３の底面とを接着剤層（図示せず）を介して接着，固定することにより、上記中皿収容凹部２ａに中皿３を着脱自在に保持している。また、上記化粧用具収容凹部２ｂにはパフ等の化粧用具（図示せず）が収容されている。
【００１３】
また、上記中皿保持体２には、その外周側面のうち左右両側面の後端部に、凹溝状の被係合凹部１８が形成されている。これら両被係合凹部１８は、上記中皿保持体２の後側面（外周側面の一端面）から、上記係合用凸部１３の直径と同じもしくはやや長い縦幅で、上記中皿保持体２の底面に沿って前方に一直線状に延びており、その先端部は、上記係合用凸部１３を回動自在に収容しうる半円弧状湾曲面に形成されている。したがって、上記両係合用凸部１３は、上記両被係合凹部１８内をその全横幅にわたって摺動自在であり、かつ上記両被係合凹部１８のどの部分においても回動自在である。
【００１４】
４は上記容器本体１の上面を蓋する蓋体（図１参照）であり、その前端部から、上記容器本体１の前側凹部１６の凸部１６ａに着脱自在に係合する係合爪が垂設されている。また、上記蓋体４の後端部からヒンジ連結部が垂設されており、上記容器本体１の後側壁１１ｄにヒンジ連結されている。図１において、１９は上記蓋体３の裏面に取り付けられた鏡である。
【００１５】
上記の構成において、上記容器本体１の保持体収容凹部１ａに中皿保持体２を収容する場合には、まず、上記中皿保持体２を、その後端部が下側となり前端部が上側となる前傾姿勢にし（図１０参照）、ついで、上記容器本体１の両係合用凸部１３に中皿保持体２の両被係合凹部１８を位置決めしながら、これら両被係合凹部１８の一端開口から両係合用凹部１８内に上記両係合用凸部１３を押し込んで両者を係合させたのち（図１１参照）、上記両被係合凹部１８内で上記両係合用凸部１３を摺動させるようにして中皿保持体２を後方に移動させながら、上記容器本体１の保持体収容凹部１ａ上に中皿保持体２を位置決めし、中皿保持体２の上端部を下方に回動させることを行う。これにより、中皿保持体２の前端部が上記容器本体１の切欠き形成部１４を通って切欠き形成部１４の下面に当接したのち、中皿保持体２の下端部が上記容器本体１の保持体収容凹部１ａ内に押し込まれてこの保持体収容凹部１ａに着脱自在に係合し（図１２参照）、中皿保持体２が保持体収容凹部１ａに収容，固定される。
【００１６】
一方、上記容器本体１の保持体収容凹部１ａから中皿保持体２を取り出す場合には、上記保持体収容凹部１ａの貫通穴１５に下側から棒状体を挿入し、中皿保持体２の前端部の底面を押し上げることを行う。これにより、中皿保持体２の前端部が上方に回動して上記保持体収容凹部１ａと中皿保持体２の下端部との係合が外れ、そののち、手指で中皿保持体２を回動させながら前側に引き出し、上記保持体収容凹部１ａから取り外すことができる。
【００１７】
このように、上記実施の形態では、上記容器本体１の保持体収容凹部１ａに中皿保持体２を着脱自在に収容し、この中皿保持体２の中皿収容凹部２ａに中皿３を保持するようにしているため、中皿３として、外形寸法や外周部の形状，構造が異なる各種の中皿３を用いる場合にも、これら中皿３を収容しうる各種の中皿保持体２を新たに作製すればよく、上記容器本体１を新たに作製する必要がなくなる。そして、上記中皿保持体２は、その形状，構造等が容器本体１と比べて簡単な形状，構造等であるため、製造コストが大幅に安価になる。しかも、上記保持体収容凹部１ａに中皿保持体２を収容する場合には、上記保持体収容凹部１ａの両係合用凸部１３を中皿保持体２の両被係合凹部１８に係合させたのち、この係合状態で上記中皿保持体２を移動させながら下方に回動させて上記保持体収容凹部１ａに収容しているため、係合作業と回動作業とを別々に行うことができ、これにより、各作業が容易になって各作業の失敗が少なくなり、上記両係合用凸部１３，両被係合凹部１８が破損等することがなくなる。
【００１８】
図１３は本発明の化粧料容器の他の実施の形態を示している。この実施の形態では、上記容器本体１の保持体収容凹部１ａの前側壁１１ｃ（図４参照）に凸部２１を突設し、上記中皿保持体２の前側面に、上記凸部２１に着脱自在に係合する凹部２２を形成し、上記容器本体１の保持体収容凹部１ａに中皿保持体２を収容した状態で、上記凸部２１と凹部２２とが着脱自在に係合するようにしている。それ以外の部分は上記実施の形態と同様であり、同様の部分には同じ符号を付している。この実施の形態でも上記実施の形態と同様の作用・効果を奏する。
【００１９】
図１４は本発明の化粧料容器のさらに他の実施の形態に用いる中皿保持体２を示している。この実施の形態では、上記中皿保持体２の左右両側面の後端部に形成される被係合凹部１８が、上記中皿保持体２の後側面から前側に向かって上り傾斜状に傾斜している。それ以外の部分は、図１〜図１２に示す実施の形態と同様であり、同様の部分には同じ符号を付している。この実施の形態でも、図１〜図１２に示す実施の形態と同様の作用・効果を奏する。
【００２０】
なお、上記各実施の形態では、中皿保持体２を、中皿収容凹部２ａを有する皿状体に形成しているが、これに限定するものではなく、中皿保持体２として、中皿３の外周側面を保持しうる枠状のもの（例えば、中皿収容凹部２ａの底壁を取り除いたもの）を用いるようにしてもよい。また、上記各実施の形態では、上記両被係合凹部１８を中皿保持体２の左右両側面の後端部に形成しているが、後端部以外の左右両側面の部分に形成してもよいし、上記中皿保持体２の前後両側面に形成してもよいし、どの部分に形成してもよい。この場合には、上記両係合用凸部１３の形成個所を、上記両被係合凹部１８の形成個所に対応させて形成することを行う。また、上記各実施の形態において、上記被係合凹部１８を１つだけ形成してもよい。
【００２１】
また、上記各実施の形態では、上記中皿保持体２の中皿収容凹部２ａに中皿３を接着，固定しているが、上記中皿収容凹部２ａ，中皿３等に各種の係合手段を設け、これら係合手段により、上記中皿収容凹部２ａに中皿３を着脱自在に係合するようにしてもよい。また、上記各実施の形態では、上記両係合用凸部１３を円柱形状に形成しているが、円筒形状でもよいし、これら以外の形状でもよい。また、上記両被係合凹部１８の形状も、各種の形状にすることができる。
【図面の簡単な説明】
【００２２】
【図１】本発明の化粧料容器の一実施の形態を示す断面図である
【図２】容器本体に中皿保持体を収容した状態を示す断面図である。
【図３】上記容器本体に中皿保持体を収容した状態を示す平面図である。
【図４】上記容器本体の平面図である。
【図５】上記容器本体の断面図である。
【図６】上記容器本体の要部の断面図である。
【図７】上記中皿保持体の平面図である。
【図８】上記中皿保持体の背面図である。
【図９】上記中皿保持体の側面図である。
【図１０】中皿保持体の収容方法を示す斜視図である。
【図１１】上記容器本体と中皿保持体との係合状態を示す断面図である。
【図１２】上記中皿保持体の収容状態を示す断面図である。
【図１３】本発明の化粧料容器の他の実施の形態を示す断面図である。
【図１４】本発明の化粧料容器のさらに他の実施の形態に用いる中皿保持体の側面図である。
【図１５】従来例を示す分解斜視図である。
【符号の説明】
【００２３】
１  容器本体
１ａ  保持体収容凹部
２  中皿保持体
２ａ  中皿収容凹部
３  中皿
１３  係合用凸部
１８  被係合用凹部
【図１】
2006305126.tif 000003
【図２】
2006305126.tif 000004
【図３】
2006305126.tif 000005
【図４】
2006305126.tif 000006
【図５】
2006305126.tif 000007
【図６】
2006305126.tif 000008
【図７】
2006305126.tif 000009
【図８】
2006305126.tif 000010
【図９】
2006305126.tif 000011
【図１０】
2006305126.tif 000012
【図１１】
2006305126.tif 000013
【図１２】
2006305126.tif 000014
【図１３】
2006305126.tif 000015
【図１４】
2006305126.tif 000016
【図１５】
2006305126.tif 000017
【手続補正書】
【提出日】平成17年5月16日(2005.5.16)
【手続補正１】
【補正対象書類名】図面
【補正対象項目名】図１５
【補正方法】変更
【補正の内容】
【図１５】
2006305126.tif 000018